(57)【要約】  上端に開口（２４）を有する入れ物（１２）と、スライド運動のために開口（２４）内に取り付けられる管状部材（２８）とを備える廃棄物収集装置（１０）。入れ物（１２）内から外方に水を圧送するためのポンプが設けられ、管状部材（２８）内にバスケットが設けられる。管状部材（２８）は、管状部材（２８）に浮力をもたらす環状隔室（３６）を画定するために、管状部材の上端及び下端に接続された円筒状内壁（３２）及び円筒状外壁（３３）を備える。【選択図】図１
2020500709.tif 000002
【特許請求の範囲】
【請求項１】
上端に開口を有し、前記上端が水面付近となるように水域に対して取り付けられる入れ物と、
スライド運動のために前記開口内に取り付けられる管状部材と、
前記入れ物内から外方に水を圧送するためのポンプと、
前記管状部材を通過する水から廃棄物を取り出すための前記管状部材内のバスケットとを備える廃棄物収集装置であって、
前記管状部材は、前記管状部材に浮力をもたらす環状隔室を画定するために、前記管状部材の上端及び下端に接続された円筒状内壁及び円筒状外壁を備える、廃棄物収集装置。
【請求項２】
前記管状部材は、前記管状部材の長手方向中央軸線が前記入れ物の長手方向中央軸線と同軸となるように、前記入れ物の前記上端にある前記開口内に受け入れられるように寸法決定されている、請求項１に記載の廃棄物収集装置。
【請求項３】
前記管状部材の外面は、シールが形成され、水が前記管状部材を通過して前記入れ物に進入し得るように、前記開口の内面と係合している、請求項１又は２に記載の廃棄物収集装置。
【請求項４】
前記管状部材は、前記管状部材が最高位置にあるときにリムが前記開口の縁部と係合するように、前記管状部材の下端において前記管状部材の周縁から外方に延びる前記リムを含む、請求項３に記載の廃棄物収集装置。
【請求項５】
前記入れ物は、円筒状側壁及び下壁を備え、前記開口を含む上部カバーが、前記入れ物の前記側壁の上端に固定可能である、請求項１〜４のいずれか一項に記載の廃棄物収集装置。
【請求項６】
前記上部カバーは、前記開口が円形であり前記上部カバーの中央に配置されるような環状の形状である、請求項５に記載の廃棄物収集装置。
【請求項７】
前記管状部材の前記内壁には、前記内壁の内面において長手方向に下側に延びる複数のリブが設けられており、前記リブは、前記バスケットが塞がれた場合に、いくらかの水が通って流れ得るような複数の細長い流路を画定している、請求項１〜６のいずれか一項に記載の廃棄物収集装置。
【請求項８】
前記リブは、前記管状部材の前記内壁の前記上端の付近から下方に延びている、請求項７に記載の廃棄物収集装置。
【請求項９】
前記リブは、前記内壁の前記内面に沿って等しい角度間隔で設けられている、請求項８に記載の廃棄物収集。
【請求項１０】
前記入れ物は、前記円筒状側壁の下端が上端の直径よりも小さいような先細の円筒状側壁を含む、請求項１〜９のいずれか一項に記載の廃棄物収集装置。
【請求項１１】
前記入れ物の前記側壁に隣接して垂直に延びる長尺部材と、前記長尺部材の下端から延びて前記入れ物の前記底壁の下面に接続する相互接続部分とを備える取付枠が設けられている、請求項１〜１０のいずれか一項に記載の廃棄物収集装置。
【請求項１２】
前記長尺部材及び前記相互接続部分は、Ｕ字状断面を有する、請求項１１に記載の廃棄物収集装置。
【請求項１３】
前記長尺部材は、固定レールに対するスライド運動のために取り付けられている、請求項１１又は１２に記載の廃棄物収集装置。
【請求項１４】
フロートが前記取付枠に接続されており、前記フロートは、水面に対する前記入れ物の垂直位置を調節するためにバラストを充填できる中空容器を備える、請求項１〜１３のいずれか一項に記載の廃棄物収集装置。
【請求項１５】
前記容器は、前記入れ物に隣接する弧状の前面と、前記長尺部材及び前記レールが内部に受け入れられるような通路を有する平坦な後面とを含む、請求項１４に記載の廃棄物収集装置。
【請求項１６】
前記容器は、内方に先細る側面と、平坦な水平上面及び下面とを含む、請求項１５に記載の廃棄物収集装置。
【発明の詳細な説明】
【技術分野】
【０００１】
本発明は、水域から廃棄物を収集するための装置に関する。
【背景技術】
【０００２】
湖、川及び海へと流れ込む廃棄物の量が、大きな環境問題となっている。本発明は、適切な処理のために浮遊廃棄物を収集するように、そのような水域内に展開される装置に関する。
【０００３】
出願人の先のスペイン国特許第２０１３３０４９５号において提案された装置は、水域の表面付近に配置されるように考案されたごみ収集装置を備える。本装置は、内部バスケットに取り込まれる水を入れ物の上部に引き込むように作動する。水は、内部ポンプによって入れ物の外に圧送され、それによって水位を下げ、バスケットを落下させ、水の流入を可能にする。水位が上がると、バスケットは再び上方に移動する。説明された装置は、相当効率的に機能する。
【先行技術文献】
【特許文献】
【０００４】
【特許文献１】スペイン国特許出願公開第２０１３３０４９５号明細書
【発明の概要】
【発明が解決しようとする課題】
【０００５】
本発明は、性能が向上したごみ収集装置を提供することを目的とする。本発明は、装置を通る水の流れをより一定に維持すること、またバスケット内の大量の負荷に対処することに関する改良を目的とした特徴を有する廃棄物収集装置に関する。
【課題を解決するための手段】
【０００６】
本発明の一態様によれば、上端に開口を有し、上端が水面付近となるように水域に対して取り付けられる入れ物と、
スライド運動のために開口内に取り付けられる管状部材と、
入れ物内から外方に水を圧送するためのポンプと、
管状部材を通過する水から廃棄物を取り出すための管状部材内のバスケットとを備える廃棄物収集装置であって、
管状部材は、管状部材に浮力をもたらす環状隔室を画定するために、管状部材の上端及び下端に接続された円筒状内壁及び円筒状外壁を備える、廃棄物収集装置が提供される。
【０００７】
管状部材は、管状部材の長手方向中央軸線が入れ物の長手方向中央軸線と同軸となるように、入れ物の上端にある開口内に受け入れられるように寸法決定されていることが好ましい。
【０００８】
管状部材の外面は、シールが形成され、水が管状部材を通過して入れ物に進入し得るように、開口の内面と係合していることが好ましい。
【０００９】
好適な実施形態において、管状部材は、管状部材が最高位置にあるときにリムが開口の縁部と係合するように、管状部材の下端において管状部材の周縁から外方に延びるリムを含む。
【００１０】
入れ物は、円筒状側壁及び下壁を備え、開口を含む上部カバーが、入れ物の側壁の上端に固定可能であることが好ましい。
【００１１】
好適な実施形態において、上部カバーは、開口が円形であり上部カバーの中央に配置されるような環状の形状である。
【００１２】
管状部材の内壁には、内壁の内面において長手方向に下側に延びる複数のリブが設けられており、リブは、バスケットが塞がれた場合に、いくらかの水が通って流れ得るような複数の細長い流路を画定していることが好ましい。
【００１３】
リブは、管状部材の内壁の上端の付近から下方に延びていることが好ましい。
【００１４】
一実施形態において、リブは、内壁の内面に沿って等しい角度間隔で設けられている。
【００１５】
一実施形態において、入れ物は、円筒状側壁の下端が上端の直径よりも小さいような先細の円筒状側壁を含む。
【００１６】
入れ物の側壁に隣接して垂直に延びる長尺部材と、長尺部材の下端から延びて入れ物の底壁の下面に接続する相互接続部分とを備える取付枠が設けられていることが好ましい。
【００１７】
一実施形態において、長尺部材及び相互接続部分は、Ｕ字状断面を有する。
【００１８】
一実施形態において、長尺部材は、固定レールに対するスライド運動のために取り付けられている。
【００１９】
更なる実施形態において、フロートが取付枠に接続されており、フロートは、水面に対する入れ物の垂直位置を調節するためにバラストを充填できる中空容器を備える。
【００２０】
一実施形態において、容器は、入れ物に隣接する弧状の前面と、長尺部材及びレールが内部に受け入れられるような通路を有する平坦な後面とを含む。
【００２１】
一実施形態において、容器は、内方に先細る側面と、平坦な水平上面及び下面とを含む。
【００２２】
本発明は、例として以下の図面を参照して説明される。
【図面の簡単な説明】
【００２３】
【図１】本発明による廃棄物収集装置の上面斜視図である。
【図２】図１の廃棄物収集装置の前面図である。
【図３】図１の廃棄物収集装置の上面図である。
【図４】図１の廃棄物収集装置の側断面図である。
【図５】本発明による廃棄物収集装置の第２の実施形態の上面斜視図である。
【図６】図５の廃棄物収集装置の前面図である。
【図７】図５の廃棄物収集装置の側面図である。
【図８】図５の廃棄物収集装置の上面図である。
【発明を実施するための形態】
【００２４】
図を参照すると、水域の表面付近から廃棄物を取り込むために設けられた入れ物１２を備える廃棄物収集装置１０が示されている。
【００２５】
図示の実施形態の入れ物１２は、円筒状側壁１４及び円形底壁１６を備えるような円筒状である。図示の実施形態の円筒状側壁１４は、その下端が上端よりも小さな直径となるように先細っている。
【００２６】
入れ物１２には、入れ物１２の上端が水面付近となるように入れ物１２が水域内の場所に固定され得るように、取付枠１８が設けられる。図１〜図４の実施形態は、取付枠１８が浮きドックに固定され、ドックが移動するときに廃棄物収集装置１０が水面に対して固定された位置に留まるように、浮きドックに固定するのに適し得る。
【００２７】
取付枠１８は、入れ物１２の側壁１４の垂直面に隣接して垂直に延びる長尺部材２０を備える。取付枠１８は、長尺部材２０の下端から延びて入れ物１２の底壁１６の下面と接続する相互接続部分２２も含む。長尺部材２０は使用中、廃棄物収集装置１０が取り付けられる物体に固定される。図示の実施形態の長尺部材２０及び相互接続部分２２は、Ｕ字状断面を有する長尺部材を備える。
【００２８】
廃棄物収集装置１０は、水が通って入れ物１２から圧送され得る出口（不図示）を含む。出口は、入れ物１２の底壁１６に開口を備える。廃棄物収集装置１０は、ポンプが作動して入れ物１２内から水を汲み出すように出口と接続されたポンプ（不図示）を含む。ポンプは、外部に配置され、導管を介して出口に接続され得る。代わりに、ポンプは、出口を通って水を圧送するために入れ物１２内又はその付近に設けられ得る。
【００２９】
入れ物１２は、その上端に開口２４を画定する。入れ物１２は、その側壁１４の上端に固定できる上部カバー２６を含む。上部カバー２６は、円筒状入れ物１２の開放した上端を横切って係合するように設けられ、開口２４を含む。図示の実施形態において、上部カバー２６は、開口２４が上部カバー２６の中央に配置された円形開口となるような環状の形状である。
【００３０】
廃棄物収集装置１０は管状部材２８も含む。管状部材２８は、管状部材２８の長手方向中央軸線が入れ物１２の長手方向中央軸線と同軸となるように、入れ物１２の上端にある開口２４内に受け入れられるように寸法決定される。管状部材２８は、管状部材２８が入れ物１２に対して上方又は下方に摺動し得るように配置される。管状部材２８の外面は、シールが形成され、水が管状部材２８を通過して入れ物１２に進入し得るように、開口２４の内面と係合する。
【００３１】
管状部材２８は、その下端にリム３０を含む。リム３０は、管状部材２８の下端において、その周縁から外方に延びる。リム３０は、管状部材２８が最高位置にあるときに、環状カバー２６の開口２４の周縁と係合するように設けられる。
【００３２】
管状部材２８は、円筒状内壁３２及び円筒状外壁３４を備える。内壁３２及び外壁３４は、同軸であり、内壁３２及び外壁３４が管状部材２８内に環状隔室３６を画定するように、それらの上端及び下端において接続される。環状隔室３６は、管状部材２８に浮力をもたらし、空にされたり、発泡体などの浮力材を充填されたりし得る。
【００３３】
管状部材２８には、バスケット（不図示）が設けられる。バスケットは、管状部材２８の開放した上端に隣接して固定される上端を有する。バスケットは、管状部材２８の内側にぶら下がり、水が管状部材２８を通って下方に流れるときに、バスケット２８が水中の廃棄材料を取り込み、廃棄材料をバスケット２８内に保つような網状材料を備える。
【００３４】
バスケット２８は、固い網状枠又は可撓性網状袋を備え得る。好適な一実施形態において、バスケットは麻布袋を備える。麻布袋は、袋の壁が水の通過を可能にし、袋の繊維が小さな廃棄物粒子を収集することによって取り除くように機能するので、好適なろ過媒体を形成することが注目されている。
【００３５】
管状部材２８の内壁３２には、複数のリブ３８が設けられる。リブ３８は、管状部材２８の上端付近の場所から内壁３２の内面に長手方向下向きに延びる。内壁３２及び外壁３４は、プラスチック材料により形成され得る。リブ３８は、内壁３２と一体に形成され得る。図示の実施形態において、リブ３８は、内壁３２の内面に沿って等しい角度間隔で設けられる。
【００３６】
リブ３８は、また複数の細長い流路３９を画定し、各流路３９は、一対の隣り合うリブ３８の間に画定される。リブ３８によって画定された流路３９は、バスケットが収集された廃棄物によって塞がれた場合に、いくらかの水がバスケットに沿って流れることを可能にする。それによって、流路３９は、ポンプが液上がり状態で作動したり、ポンプの吸入によって廃棄物収集装置１０に損傷が生じたりする可能性を下げる。
【００３７】
使用中、廃棄物収集装置１０は、入れ物１２の上端が水面の付近及び直下となるように、水域内に配置される。入れ物１２の内部が空になると、管状部材２８は、その上端が水面付近となるまで下方に落下する。水は、管状部材２８を通って下方に流れ、入れ物１２に入る。入れ物１２内の水位が上がると、管状部材２８は、上方に移動することによって、入れ物１２への水の流れを制限する。ポンプが入れ物１２内から水を汲み出すと、管状部材２８を通って流入する水の体積が、圧送される水とバランスする。
【００３８】
管状部材２８の浮力性及び入れ物１２内でのその配置により、波（船からの余波など）が管状部材２８への水の突然の流入を生じさせると、管状部材２８は、水中から上昇して内方への水流を更に制限する。
【００３９】
図１〜図４の廃棄物収集装置１０は、浮遊物体に接続される場所ではなく、水域の底に定着される場所で利用され得る。この場合、取付枠１８は省略される。
【００４０】
図５〜図８は、本発明による廃棄物収集装置１０の第２の実施形態を示す。図５〜図８の廃棄物収集装置１０は、第１の実施形態と同様であり、同じ参照数字が、同じ部分を示すために使用される。
【００４１】
図５〜図８の廃棄物収集装置１０は、固定ドック又は鉄塔などの固定場所に取り付けられるために提供される。長尺部材２０は、レール４０に対するスライド運動のために取り付けられる。レール４０は、固定場所に垂直に取り付けられ、長尺部材２０の通路内に受け入れられる。複数のローラが、長尺部材２０がレール４０に対して垂直に摺動し得るように設けられる。したがって、廃棄物収集装置１０は、物体に対して水の上面の位置が変化すると、上方又は下方に移動し得る。
【００４２】
廃棄物収集装置１０には、フロート４２も設けられる。フロート４２は、取付枠に取り付けられた中空容器を備える。図示の実施形態において、容器４３は、入れ物１２に隣接する弧状の前面４４と、入れ物１２から離れて配置された平坦な後面４５と、内方に先細る側面４６及び４７と、平坦な水平上面４８及び下面４９とを含む。後面４５は、長尺部材２０及びレール４０が通路５０内に受け入れられるように、内部に垂直に延びる通路５０を含む。
【００４３】
フロート４２には、フロート４２の浮力を変化させるためにバラストを充填することができる。使用中、廃棄物収集装置１０は、レール４０に装着され、フロート４２は、入れ物１２の垂直位置を水面に対して適当な位置に調節するために、あるレベルまで充填される。廃棄物収集装置１０は、前述されたように機能する。
【００４４】
既に説明されたものに加えて、本発明の基本的な発明概念から逸脱せずに、前述の実施形態に対して各種の変更及び改良が行われ得ることは、当業者にとって容易に理解されるであろう。
【図１】
2020500709.tif 000003
【図２】
2020500709.tif 000004
【図３】
2020500709.tif 000005
【図４】
2020500709.tif 000006
【図５】
2020500709.tif 000007
【図６】
2020500709.tif 000008
【図７】
2020500709.tif 000009
【図８】
2020500709.tif 000010
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
上端に開口を有し、前記上端が水面付近となるように水域に対して取り付けられる入れ物と、
スライド運動のために前記開口内に取り付けられる管状部材と、
前記入れ物内から外方に水を圧送するためのポンプと、
前記管状部材を通過する水から廃棄物を取り出すための前記管状部材内のバスケットとを備える廃棄物収集装置であって、
前記管状部材は、円筒状内壁及び円筒状外壁を備え、前記内壁の上端が、前記外壁の上端に隣接して配置され前記外壁の前記上端に接続され、前記内壁の下端が、前記外壁の下端に隣接して配置され前記外壁の前記下端に接続されており、それによって、接続された前記内壁及び前記外壁が、前記管状部材に浮力をもたらす閉じた環状隔室を画定するようになっている、廃棄物収集装置。
【請求項２】
前記管状部材は、前記管状部材の長手方向中央軸線が前記入れ物の長手方向中央軸線と同軸となるように、前記入れ物の前記上端にある前記開口内に受け入れられるように寸法決定されている、請求項１に記載の廃棄物収集装置。
【請求項３】
前記管状部材の外面は、シールが形成され、水が前記管状部材を通過して前記入れ物に進入し得るように、前記開口の内面と係合している、請求項１又は２に記載の廃棄物収集装置。
【請求項４】
前記管状部材は、前記管状部材が最高位置にあるときにリムが前記開口の縁部と係合するように、前記管状部材の下端において前記管状部材の周縁から外方に延びる前記リムを含む、請求項３に記載の廃棄物収集装置。
【請求項５】
前記入れ物は、円筒状側壁及び下壁を備え、前記開口を含む上部カバーが、前記入れ物の前記側壁の上端に固定可能である、請求項１〜４のいずれか一項に記載の廃棄物収集装置。
【請求項６】
前記上部カバーは、前記開口が円形であり前記上部カバーの中央に配置されるような環状の形状である、請求項５に記載の廃棄物収集装置。
【請求項７】
前記管状部材の前記内壁には、前記内壁の内面において長手方向に下側に延びる複数のリブが設けられており、前記リブは、前記バスケットが塞がれた場合に、いくらかの水が通って流れ得るような複数の細長い流路を画定している、請求項１〜６のいずれか一項に記載の廃棄物収集装置。
【請求項８】
前記リブは、前記管状部材の前記内壁の前記上端の付近から下方に延びている、請求項７に記載の廃棄物収集装置。
【請求項９】
前記リブは、前記内壁の前記内面に沿って等しい角度間隔で設けられている、請求項８に記載の廃棄物収集。
【請求項１０】
前記入れ物は、前記円筒状側壁の下端が上端の直径よりも小さいような先細の円筒状側壁を含む、請求項１〜９のいずれか一項に記載の廃棄物収集装置。
【請求項１１】
前記入れ物の前記側壁に隣接して垂直に延びる長尺部材と、前記長尺部材の下端から延びて前記入れ物の前記底壁の下面に接続する相互接続部分とを備える取付枠が設けられている、請求項１〜１０のいずれか一項に記載の廃棄物収集装置。
【請求項１２】
前記長尺部材及び前記相互接続部分は、Ｕ字状断面を有する、請求項１１に記載の廃棄物収集装置。
【請求項１３】
前記長尺部材は、固定レールに対するスライド運動のために取り付けられている、請求項１１又は１２に記載の廃棄物収集装置。
【請求項１４】
フロートが前記取付枠に接続されおり、前記フロートは、水面に対する前記入れ物の垂直位置を調節するためにバラストを充填できる中空容器を備える、請求項１〜１３のいずれか一項に記載の廃棄物収集装置。
【請求項１５】
前記容器は、前記入れ物に隣接する弧状の前面と、前記長尺部材及び前記レールが内部に受け入れられるような通路を有する平坦な後面とを含む、請求項１４に記載の廃棄物収集装置。
【請求項１６】
前記容器は、内方に先細る側面と、平坦な水平上面及び下面とを含む、請求項１５に記載の廃棄物収集装置。
【国際調査報告】
2020500709.tif 000011
2020500709.tif 000012
2020500709.tif 000013